(57)【要約】【課題】小形化を実現して制御盤に収納可能にするとともに、記録媒体を選択可能にした記録紙レス記録計を得る。【解決手段】外部のデータ記録対象から入力データを取り込むための入力端子６と、表示機能付演算装置９が接続される出力端子２と、記録装置１０が接続されるＵＳＢポート４とを備え、入力データを、出力端子２を介して表示機能付演算装置９に送信して表示させるとともに、ＵＳＢポート４を介して記録装置１０に送信して記録させる。【選択図】　　　　図２
2004012272.tif 000002
【特許請求の範囲】
【請求項１】
外部のデータ記録対象から入力データを取り込むための入力端子と、
表示機能付演算装置が接続される出力端子と、
記録装置が接続されるＵＳＢポートとを備え、
前記入力データを、前記出力端子を介して前記表示機能付演算装置に送信して表示させるとともに、前記ＵＳＢポートを介して前記記録装置に送信して記録させることを特徴とする記録紙レス記録計。
【請求項２】
制御盤に一体的に収納されたことを特徴とする請求項１に記載の記録紙レス記録計。
【請求項３】
前記入力データを４−２０ｍＡのデータに変換する４−２０ｍＡ変換器を備え、
前記４−２０ｍＡの入力データをディジタルデータに変換するとともに、前記ディジタルデータのレンジを調整して前記記録装置に記録させることを特徴とする請求項１または請求項２に記載の記録紙レス記録計。
【請求項４】
Ｍｏｄｂｕｓプロトコルを用いた送信手段を備え、前記送信手段を介して前記ディジタルデータを前記遠隔機器に送信することを特徴とする請求項３に記載の記録紙レス記録計。
【発明の詳細な説明】
【０００１】
【発明の属する技術分野】
この発明は、フロッピー（登録商標）ディスク（以下、「ＦＤ」という）にデータ記録する記録紙レス記録計に関し、特に、表示装置および記録装置が外付けされた記録紙レス記録計に関するものである。
【０００２】
また、この発明は、データ記録対象からの入力データを４−２０ｍＡに変換してディジタル変換することにより、Ｍｏｄｂｕｓプロトコルを用いて遠隔機器に送信可能にした記録紙レス記録計に関するものである。
【０００３】
【従来の技術】
図４は従来の記録紙レス記録計を示す正面図である。
図４において、１５はデータ記録対象からの入力データを表示するディスプレイ、１６はディスプレイ１５に表示されたデータを記録するために内蔵されたＦＤドライブである。
【０００４】
１７はディスプレイ１５の表示を切り替えるための操作パネルであり、複数の入力端子（図示せず）から入力されたデータを選択して表示させるために操作される。なお、各入力端子は、記録するデータ毎に固有に設けられている。
【０００５】
次に、図４に示した従来の記録紙レス記録計による動作について説明する。
まず、外部のデータ記録対象から入力端子を介して入力されたデータは、記録紙レス記録計（以下、単に「記録計」ともいう）の本体の正面に設けられたディスプレイ１５に表示される。
【０００６】
また、入力データは、記録計本体の下部に内蔵されたＦＤドライブ１６を介してＦＤに保存される。
【０００７】
これにより、記録紙レスが実現される。このとき、操作パネル１７を操作することにより、複数の入力データについて、ディスプレイ１５の表示切り替えを可能にしている。
【０００８】
なお、従来の記録紙レス記録計は、入力データの処理がデータ毎に固有であり、あらかじめ定められた入力データのみの記録に利用される。
【０００９】
【発明が解決しようとする課題】
従来の記録紙レス記録計は以上のように、表示装置を構成するディスプレイ１５と、記録装置を構成するＦＤドライブ１６とが、記録計本体に一体構成されているので、大形化してしまい、制御盤内に収納することが困難になるという問題点があった。
【００１０】
また、記録装置となるＦＤドライブ１６が内蔵されているので、記録媒体を選択することができないという問題点があった。
【００１１】
また、たとえば温度を計測する記録計の場合には、温度専用の入力端子が用いられるように、入カデータの処理がデータ毎に固有であることから、製作時に設定されたデータのみしか記録することができないという問題点があった。
【００１２】
また、従来の記録紙レス記録計には、適切なプロトコルを用いたデータ送信機能を考慮していないので、遠方に設置された遠隔機器に入力データを送信することができないという問題点があった。
【００１３】
この発明は上記のような問題点を解決するためになされたもので、表示装置および記録装置を外付けすることにより、小形化を実現して制御盤に収納可能にした記録紙レス記録計を得ることを目的とする。
【００１４】
また、この発明は、ＵＳＢ（Ｕｎｉｖｅｒｓａｌ　Ｓｅｒｉａｌ　Ｂｕｓ）ポートを介して記録装置を外付けすることにより、記録媒体を選択可能にした記録紙レス記録計を得ることを目的とする。
【００１５】
また、入力データを４−２０ｍＡのデータに変換してディジタル変換することにより、入力データをレンジ調整して記録可能にした記録紙レス記録計を得ることを目的とする。
【００１６】
さらに、この発明は、Ｍｏｄｂｕｓプロトコルによりディジタルデータを遠方に送信可能にした記録紙レス記録計を得ることを目的とする。
【００１７】
【課題を解決するための手段】
この発明に係る記録紙レス記録計は、外部のデータ記録対象から入力データを取り込むための入力端子と、表示機能付演算装置が接続される出力端子と、記録装置が接続されるＵＳＢポートとを備え、入力データを、出力端子を介して表示機能付演算装置に送信して表示させるとともに、ＵＳＢポートを介して記録装置に送信して記録させるものである。
【００１８】
また、この発明に係る記録紙レス記録計は、制御盤に一体的に収納されたものである。
【００１９】
また、この発明に係る記録紙レス記録計の入力データは、入力データを４−２０ｍＡのデータに変換する４−２０ｍＡ変換器を備え、４−２０ｍＡの入力データをディジタルデータに変換するとともに、ディジタルデータのレンジを調整して記録装置に記録させるものである。
【００２０】
また、この発明に係る記録紙レス記録計は、Ｍｏｄｂｕｓプロトコルを用いた送信手段を備え、送信手段を介してディジタルデータを遠隔機器に送信するものである。
【００２１】
【発明の実施の形態】
実施の形態１．
以下、図面を参照しながら、この発明の実施の形態１について詳細に説明する。
図１はこの発明の実施の形態１を外観的に示す斜視図であり、正面（ａ）および裏面（ｂ）をそれぞれ示している。
【００２２】
図１（ａ）において、１は記録計の正面に設けられた液晶ディジタル表示部である。
２は記録計の正面に設けられたＲＳ−２３２ポートであり、表示装置（後述する）が接続される出力端子（出力ポート）となる。
【００２３】
３は開閉式の端子力バーであり、ＲＳ−２３２ポート２などの端子を覆って保護する。４はＲＳ−２３２ポート２に隣接して設けられたＵＳＢポートであり、記録装置（後述する）が接続される出力端子（出力ポート）となる。
５は記録計の正面に設けられた操作パネルである。
【００２４】
図１（ｂ）において、６は記録計の裏面に設けられた入力端子であり、４−２０ｍＡの入力データを取り込むための８点の端子群からなる。
７は記録計の裏面に設けられたＲＳ−４２２ポートであり、Ｍｏｄｂｕｓネットワーク（後述する）が接続される出力端子（出力ポート）となる。
８は記録計の裏面に設けられた電源端子である。
【００２５】
図１（ａ）に示すように、この発明の実施の形態１による記録紙レス記録計は、表示装置（後述する）を外付けするためのＲＳ−２３２ポート２と、記録装置（後述する）をＵＳＢ接続により外付けするためのＵＳＢポート４とを有する。
【００２６】
また、記録計は、入力データを調整してレンジを設定するための操作パネル５と、設定内容を確認するための液晶ディジタル表示部１とを有し、制御盤（後述す）内に収納されている。
また、ここでは、図示を省略するが、記録計には、前述（図４参照）と同様のＦＤドライブが設けられている。
【００２７】
一方、入力端子６（図１（ｂ）参照）から入力されるデータは、４−２０ｍＡの入力データに変換されるとともに、ディジタルデータに変換されて記録装置に記録されるようになっている。
また、ディジタルデータ（入力データ）は、ＲＳ−４２２ポート７から、Ｍｏｄｂｕｓプロトコルによって遠方（遠隔機器）に送信されるようになっている。
【００２８】
図２はこの発明の実施の形態１を図式的に透視して示す構成図である。
図２において、９は外部のパソコン（パーソナルコンピュータ）からなる表示機能付演算装置であり、ＲＳ−２３２ケーブル２０を介してＲＳ−２３２ポート２に接続されている。
【００２９】
１０は記録装置であり、ＵＳＢケーブル４０を介してＵＳＢポート４に接続されている。
１１は記録計の盤正面、１２は盤内部に位置する記録計、１３は記録計１２を収納する制御盤、１４は制御盤１３内の記録計１２が搭載される取付棚である。
【００３０】
ＲＳ−４２２ポート７には、ＲＳ−４２２ケーブル７０を介してＭｏｄｂｕｓネットワーク（後述する）が接続され、入力端子６には、４−２０ｍＡケーブル６０を介して、４−２０ｍＡの入力データが入力される。
【００３１】
制御盤１３内の記録計１２は、取付棚１４によって固定され、その盤正面１１のみが制御盤１３の正面から見ることができ、且つ操作パネル５を操作できるように取り付けられている。
また、表示機能付演算装置（ＰＣ）９および記録装置１０は、必要に応じて、正面から接続される。
【００３２】
図３はこの発明の実施の形態１を示すブロック構成図である。
図３において、１２ａは制御盤１３内に設けられた４−２０ｍＡ変換器であり、入力端子６と記録計１２との間に挿入されており、入力端子６から取り込まれた入力データを４−２０ｍＡのデータに変換して記録計１２に入力する。
【００３３】
１８は外部のデータ記録対象（Ｆｉｅｌｄ：監視対象現場）であり、電圧や温度などのデータを入力端子６に送信する。
１９は遠隔機器（図示せず）に接続されたＭｏｄｂｕｓネットワークであり、ＲＳ−４２２ポート７０を介してＲＳ−２３２ポート２に接続されており、ディジタルデータを遠隔機器（図示せず）に送信する。
【００３４】
次に、図１〜図３を参照しながら、この発明の実施の形態１による動作について説明する。
まず、データ記録対象１８から取り出されたデータは、制御盤１３内の４−２０ｍＡ変換器１２ａによって４−２０ｍＡの入力データに変換された後、制御盤１３内の記録計１２に取り込まれる。
【００３５】
記録計１２は、４−２０ｍＡの入力データをディジタルデータに変換し、このディジタルデータを、Ｍｏｄｂｕｓプロトコルを用いて、ＲＳ−４２２ポート７からＭｏｄｂｕｓネットワーク１９を介して遠隔機器に送信する。
【００３６】
また、記録計１２は、ディジタルデータを、ＲＳ−２３２ポート２を介して表示機能付遠隔機器９に送信して表示させるとともに、ＵＳＢ接続された記録装置１０に送信して記録させる。
【００３７】
このように、記録計１２を制御盤１３に収納し、正面１１から操作パネル５を操作可能に構成することにより、現場（データ記録対象１５）および中央制御室双方より記録されたデータを監視することができる。
【００３８】
また、汎用性に優れた４−２０ｍＡの入力データを用いることにより、記録計１２内の記録媒体を選ばずに使用することができるとともに、４−２０ｍＡに変換された全ての入力データを記録計１２内に記録することができる。
【００３９】
さらに、汎用性に優れたＵＳＢポート４を介して記録装置１０を接続することにより、記録装置１０を選ばずに使用することができるとともに、４−２０ｍＡに変換された全ての入力データを外部の記録装置１０において記録することができる。
【００４０】
【発明の効果】
以上のように、この発明によれば、外部のデータ記録対象から入力データを取り込むための入力端子と、表示機能付演算装置が接続される出力端子と、記録装置が接続されるＵＳＢポートとを備え、入力データを、出力端子を介して表示機能付演算装置に送信して表示させるとともに、ＵＳＢポートを介して記録装置に送信して記録させ、表示装置および記録装置を外付けしたので、小形化を実現して制御盤に収納可能にした記録紙レス記録計が得られる効果がある。
また、ＵＳＢポートを介して記録装置を外付けしたので、記録媒体を選択可能にした記録紙レス記録計が得られる効果がある。
【００４１】
また、この発明によれば、入力データを４−２０ｍＡのデータに変換する４−２０ｍＡ変換器を備え、４−２０ｍＡの入力データをディジタルデータに変換するとともに、ディジタルデータのレンジを調整して記録装置に記録させるようにしたので、入力データをレンジ調整して記録可能にした記録紙レス記録計が得られる効果がある。
【００４２】
また、この発明によれば、Ｍｏｄｂｕｓプロトコルを用いた送信手段を備え、送信手段を介してディジタルデータを遠隔機器に送信するようにしたので、ディジタルデータを遠方に送信可能にした記録紙レス記録計が得られる効果がある。
【図面の簡単な説明】
【図１】この発明の実施の形態１の正面および裏面をそれぞれ外観的に示す斜視図である。
【図２】この発明の実施の形態１を図式的に透視して示す構成図である。
【図３】この発明の実施の形態１を示すブロック構成図である。
【図４】従来の記録紙レス記録計を外観的に示す正面図である。
【符号の説明】
１　液晶ディジタル表示部、２　ＲＳ−２３２ポート、４　ＵＳＢポート、５　操作パネル、６　入力端子、７　ＲＳ−４２２ポート、９　表示機能付演算装置、１０　記録装置、１１　記録紙レス記録計の正面、１２　記録紙レス記録計、１２ａ　４−２０ｍＡ変換器、１３　制御盤、１８　データ記録対象、１９Ｍｏｄｂｕｓネットワーク。
【図１】
2004012272.tif 000003
【図２】
2004012272.tif 000004
【図３】
2004012272.tif 000005
【図４】
2004012272.tif 000006